(57)【要約】【課題】物品が懸架されるフックに対して過度な外力が加えられた場合であっても、当該フックおよび物品の損壊を回避することができるようにする。【解決手段】ハンド形子機１００のハンガー部１０４が懸架される懸架部２０の先端に設けられた係止部３０のうち、少なくとも懸架部２０よりも上方で懸架部２０から所定長の部位を弾性部材により構成することにより、ハンド形子機１００のハンガー部１０４が懸架部２０に懸架された状態において、懸架されたハンド形子機１００が無理に引っ張られる等により、水平方向に過度な外力が係止部３０に加えられた場合であっても、張り出し部位３１が弾性変形して傾倒することにより、ハンガー部１０４の係止状態が解除されて外力を逃がすことができるようにする。【選択図】図４
2015173687.tif 000002
【特許請求の範囲】
【請求項１】
壁面に取り付けられる基部と、
上記基部の表面に対して突出し、物品のハンガー部が懸架される懸架部と、
上記懸架部の先端に設けられ、上記懸架部に懸架された上記ハンガー部を係止する係止部とを備え、
上記係止部は、少なくとも上記懸架部よりも上方で上記懸架部から所定長の部位が弾性部材により構成されていることを特徴とする吊り下げ用フック。
【請求項２】
上記係止部は、その全体が上記弾性部材により構成されていることを特徴とする請求項１に記載の吊り下げ用フック。
【請求項３】
上記係止部は、上記懸架部よりも上方の張り出し部位が全て上記弾性部材により構成されていることを特徴とする請求項１に記載の吊り下げ用フック。
【請求項４】
上記係止部は、上記ハンガー部が上記係止部により係止された状態で、上記壁面から水平方向に離間する方向の外力を上記物品が受けた場合、当該外力により上記弾性部材が変形して、上記係止部のうち上記懸架部よりも上方の部分が上記壁面から水平方向に離間する方向に傾倒する可倒性を有していることを特徴とする請求項１〜３の何れか１項に記載の吊り下げ用フック。
【請求項５】
物品のハンガー部が懸架される懸架部と、
上記懸架部の先端に設けられ、上記懸架部に懸架された上記ハンガー部を係止する係止部とを備え、
上記係止部は、少なくとも上記懸架部よりも上方で上記懸架部から所定長の部位が弾性部材により構成されており、
上記懸架部は、その内部に空洞を有し、壁面に固定されたフックの少なくとも上方部分を上記空洞内に挿入したときに、上記懸架部を上記フックに対して固定させるための構造を有していることを特徴とする吊り下げ用フック。
【請求項６】
上記空洞の形状およびサイズが、上記壁面に固定されたフックの少なくとも上方部分を上記空洞内に挿入したときに、上記懸架部の上記空洞側の内接面と上記フックの外接面とが圧接するような形状およびサイズに形成されていることを特徴とする請求項５に記載の吊り下げ用フック。
【発明の詳細な説明】
【技術分野】
【０００１】
本発明は、物品を壁面から吊り下げるための吊り下げ用フックに関するものである。
【背景技術】
【０００２】
一般的に、ナースコールシステムは、ベッドサイド等に設置するナースコール子機と、ベッドサイド等の壁に埋め込み設置するウォールユニットと、部屋の入口付近に設置する廊下灯と、ナースセンタに設置するナースコール親機とを備えて構成されている。ナースコール子機には種々のタイプがあるが、例えば図９に示すように、呼出ボタン１０１の他にスピーカ１０２とマイク１０３とを備えて通話を行うことが可能なタイプのハンド形子機１００が多く用いられている。
【０００３】
また、ウォールユニットにも種々のタイプがある。例えば、ナースコール子機のプラグを接続する差込口（プラグ受け）を備えるとともに、呼出ボタン、スピーカ、マイクを備えて通話を行うことが可能なタイプの壁埋込形子機がある。また、ウォールユニットの中には、図１０に示すように、差込口２０１の他に、図９に示したハンド形子機１００が備えるハンガー部１０４を懸架することが可能になされたフック２０２を備えたものも存在する。
【０００４】
図１０に示すような一般的なフック機能付きウォールユニットでは、フック２０２が固定式であり、フック２０２の姿勢変化ができないように構成されている。そのため、例えば、フック２０２に懸架されたハンド形子機１００が無理に引っ張られた場合（例えば、ハンド形子機１００のコードをベッドの手すりに括り付けた状態のまま、ベッドを移動させると、ハンド形子機１００がベッドによって無理に引っ張られてしまう）、フック２０２およびハンド形子機１００のハンガー部１０４に過度な外力が加わり、フック２０２またはハンガー部１０４の損壊を招く恐れがある。
【０００５】
また、フックが特定の電気機器を懸架するためのものである場合、この電気機器よりも重い物体が懸架されると、フックが重さに耐えることができなくなり、フックが壊れてしまうケースが生じる。このような問題を回避するための技術として、電気機器に設けられたハンガー部を懸架するための突出部を回転可能に壁面に取り付け、電気機器のプラグがコンセントに接続されたときに、突出部が上方に位置するように回転して電気機器のハンガー部を懸架可能な状態となる一方、突出部が下方に位置するように回転したときに、コンセントに接続されているプラグの接続を解除し、突出部がハンガー部を保持しなくなるようにしたものが提案されている（例えば、特許文献１参照）。
【０００６】
【特許文献１】特開２０１１−２５３６５０号公報
【発明の概要】
【発明が解決しようとする課題】
【０００７】
しかしながら、上記特許文献１に記載のフックでは、突出部が上方に位置するように回転して電気機器（ハンド形子機など）のハンガー部が突出部に懸架された状態で、ベッドの手すりにコードが括り付けられたハンド形子機が無理に引っ張られた場合に、突出部が自動的に下方に位置するように回転して突出部がハンガー部を保持しなくなるわけではない。そのため、ハンド形子機が無理に引っ張られた場合に、フックまたはハンガー部の損壊を招く恐れがあるという問題は解消することができない。
【０００８】
本発明は、このような問題を解決するために成されたものであり、物品が懸架されるフックに対して過度な外力が加えられた場合であっても、当該フックおよび物品の損壊を回避することができるようにすることを目的とする。
【課題を解決するための手段】
【０００９】
上記した課題を解決するために、本発明の吊り下げ用フックは、物品のハンガー部が懸架される懸架部の先端に設けられた係止部のうち、少なくとも懸架部よりも上方で懸架部から所定長の部位を弾性部材により構成するようにしている。
【発明の効果】
【００１０】
上記のように構成した本発明によれば、物品のハンガー部が懸架部に懸架された状態において、懸架された物品が無理に引っ張られる等により、水平方向（壁面から離間する方向）に過度な外力が係止部に加えられた場合であっても、弾性部材が変形して係止部のうち懸架部より上方の部分が変位することにより、ハンガー部の係止状態が解除され、外力を逃がすことができる。これにより、吊り下げ用フックおよび物品のハンガー部の損壊を回避することができる。
【図面の簡単な説明】
【００１１】
【図１】第１の実施形態による吊り下げ用フックの構成例を示す側面図である。
【図２】第１の実施形態による吊り下げ用フックの懸架部と係止部との結合構造の一例を示す図である。
【図３】第１の実施形態による吊り下げ用フックにハンド形子機が懸架された通常の使用状態を示す側面図である。
【図４】第１の実施形態による吊り下げ用フックがハンド形子機によって引っ張られたときの状態を示す側面図である。
【図５】第１の実施形態による吊り下げ用フックの係止部の変形例を示す図である。
【図６】第２の実施形態による吊り下げ用フックの構成例を示す側面図である。
【図７】第２の実施形態による吊り下げ用フックを壁面に固定されたフックに装着した状態を示す側断面図である。
【図８】第２の実施形態による吊り下げ用フックの懸架部の変形例を示す図である。
【図９】ハンド形子機の構成例を示す図である。
【図１０】フック付きウォールユニットの従来の構成例を示す図である。
【発明を実施するための形態】
【００１２】
（第１の実施形態）
以下、本発明の第１の実施形態を図面に基づいて説明する。図１は、第１の実施形態による吊り下げ用フック１の構成例を示す側面図である。図１に示すように、第１の実施形態による吊り下げ用フック１は、基部１０、懸架部２０および係止部３０を備えて構成されている。
【００１３】
基部１０は、壁面５０に取り付けられる板状の部材である。懸架部２０は、基部１０の表面に対して突出するように設けられた柱状の構成部分でおり、ここに物品（例えば、図９に示したハンド形子機１００）のハンガー部１０４が懸架される。係止部３０は、懸架部２０の先端に設けられ、懸架部２０に懸架されたハンガー部１０４を係止してハンド形子機１００の落下を阻止するための板状の構成部分である。
【００１４】
係止部３０は、懸架部２０の先端面と同一平面上において、当該先端面よりも外側に張り出している。先端面から外側に張り出す方向は、少なくとも懸架部２０の先端面から上方側にあればよい（以下、この上方に張り出し部分を張り出し部位３１という）。係止部３０は、この張り出し部位３１により、懸架部２０に懸架されたハンド形子機１００のハンガー部１０４の水平方向（壁面５０から離間する方向）への抜け落ちを係止することが可能となっている。
【００１５】
基部１０および懸架部２０は、硬性を有する部材、例えば硬性樹脂（プラスティック）により一体的に構成されている。または、基部１０および懸架部２０を別体として構成し、例えばネジ止めにより固定するようにしてもよい。一方、係止部３０は、弾性を有する部材、例えば軟性樹脂（ゴムまたはエストラマー）により構成されている。懸架部２０と係止部３０との結合の方法は任意である。例えば、ネジ止めによって結合してもよいし、図２に示すような係止構造によって結合してもよい。
【００１６】
図２に示す例において、係止部３０は、その表面から懸架部２０の方向に突出するツメ部３２を有している。一方、懸架部２０の先端面には、ツメ部３２と対向する位置に開口部２１が形成されている。開口部２１の入り口には、係合部２２が形成されている。このような構成により、ツメ部３２は、開口部２１に対して着脱自在に嵌合することが可能となっている。
【００１７】
すなわち、図２（ａ）に示す方向からツメ部３２を開口部２１に挿入すると、ツメ部３２は、係合部２２と当接することによって上下方向から押圧される。これにより、上側ツメ部３２は下方向に、下側のツメ部３２は上方向に反りつつ、開口部２１内に押し込められる。そして、ツメ部３２は、開口部２１内に完全に挿入されると、反りが解消し、図２（ｂ）に示すように係合部２２に係合した状態となる。これにより、係止部３０が懸架部２０に結合される。
【００１８】
図３および図４は、第１の実施形態による吊り下げ用フック１の使用状態を示す図である。このうち、図３は、本実施形態の吊り下げ用フック１にハンド形子機１００が懸架された通常の使用状態を示す側面図である。一方、図４は、ハンド形子機１００によって吊り下げ用フック１が壁面５０から離間する方向へ引っ張られたときの状態を示す図である。
【００１９】
図３に示すように、通常の使用状態では、吊り下げ用フック１の係止部３０は全面にわたって壁面５０に平行な状態となっている。懸架部２０より上方の張り出し部位３１も壁面５０に対して平行で、懸架部２０の突出方向に対して垂直に起立した状態となっている。これにより、ハンド形子機１００のハンガー部１０４を上方から懸架部２０に懸架して、ハンガー部１０４が壁面５０から離間する方向に抜け落ちるのを係止することができるようになっている。
【００２０】
一方、図４の矢印Ａに示すように、懸架部２０に懸架されたハンド形子機１００が壁面５０から離間する方向に引っ張られると、係止部３０より上方の張り出し部位３１が弾性変形する。すなわち、ハンド形子機１００のハンガー部１０４が係止部３０により係止された状態で、壁面５０から水平方向に離間する方向の外力をハンド形子機１００が受けた場合、係止部３０は、当該外力により張り出し部位３１が変形して、壁面５０から水平方向に離間する方向に傾倒する。これにより、ハンガー部１０４の張り出し部位３１による係止状態が解除され、懸架部２０に懸架されていたハンガー部１０４は、懸架部２０から滑り落ちる。
【００２１】
以上詳しく説明したように、第１の実施形態では、ハンド形子機１００のハンガー部１０４が懸架される懸架部２０の先端面に設けられた係止部３０を、弾性部材（ゴムまたはエストラマー）により構成している。このように構成した第１の実施形態によれば、ハンド形子機１００のハンガー部１０４が懸架部２０に懸架された状態において、懸架されたハンド形子機１００が無理に引っ張られる等により、水平方向（壁面５０から離間する方向）に過度な外力が係止部３０に加えられた場合であっても、係止部３０の張り出し部位３１が弾性変形して変位することにより、ハンガー部１０４の係止状態が解除され、外力を逃がすことができる。これにより、吊り下げ用フック１およびハンド形子機１００のハンガー部１０４の損壊を回避することができる。
【００２２】
なお、上記第１の実施形態では、係止部３０の全体を弾性部材により構成する例について説明したが、本発明はこれに限定されない。係止部３０は、少なくとも、懸架部２０よりも上方で懸架部２０から所定長の部位が弾性部材により構成されていればよい。例えば、図５（ａ）の斜線部に示すように、懸架部２０よりも上方の張り出し部位３１を全て弾性部材により構成し、それ以外の部位は硬性樹脂等により構成するようにしてもよい。あるいは、図５（ｂ）の斜線部に示すように、懸架部２０よりも上方の張り出し部位３１のうち、先端側を除く根本側の部位のみを弾性部材により構成するようにしてもよい。
【００２３】
（第２の実施形態）
次に、本発明の第２の実施形態を図面に基づいて説明する。図６は、第２の実施形態による吊り下げ用フック２の構成例を示す図であり、（ａ）は側面図、（ｂ）は背面図（図６（ａ）の左側から見た図）を示している。第２の実施形態による吊り下げ用フック２は、図１０に示したフック２０２に対して着脱可能に構成したものである。
【００２４】
図６に示すように、第２の実施形態による吊り下げ用フック２は、懸架部６０および係止部７０を備えて構成されている。懸架部６０は、柱状の構成部分であり、ここに物品（例えば、図９に示したハンド形子機１００）のハンガー部１０４が懸架される。係止部７０は、懸架部６０の先端に設けられ、懸架部６０に懸架されたハンガー部１０４を係止してハンド形子機１００の落下を阻止するための板状の構成部分である。
【００２５】
係止部７０は、懸架部６０の先端面と同一平面上において、当該先端面よりも外側に張り出している。先端面から外側に張り出す方向は、少なくとも懸架部６０の先端面から上方側（張り出し部位７１）にあればよい。懸架部６０および係止部７０は一体的に構成されており、何れも弾性部材（例えば、ゴムまたはエストラマー）により構成されている。
【００２６】
懸架部６０は、その内部に空洞６１を有している。この空洞６１は、下方が開放された空間であり、その空間の断面形状は、フック２０２の係止部と略同じ形状となっている。また、空間の断面形状の大きさは、フック２０２の係止部と略同じか、それより若干小さく形成されている。このような構成により、壁面５０に固定されたフック２０２を空洞６１内に挿入するようにして吊り下げ用フック２をフック２０２に装着したときに、懸架部６０の空洞６１側の内接面６２と、フック２０２の係止部の外接面とが圧接するようになっている。なお、吊り下げ用フック２をフック２０２に装着したときの密着度を上げるため、空洞６１の断面形状の大きさをフック２０２の係止部より若干小さく形成するのが好ましい。
【００２７】
図７は、第２の実施形態による吊り下げ用フック２を、壁面５０に固定されたフック２０２に装着した状態を示す側断面図である。図７に示す吊り下げ用フック２の断面は、図６（ｂ）にＢ−Ｂで示した箇所のものである。図７に示すように、懸架部６０の長さは、フック２０２の高さと略同じか、それより若干長く形成されている。これにより、吊り下げ用フック２をフック２０２に装着すると、吊り下げ用フック２がフック２０２の全体を下方の開放部を除いて覆うようになっている。
【００２８】
このように構成した第２の実施形態によれば、ウォールユニットなど壁面５０に既に固定して使用されているフック２０２に吊り下げ用フック２を装着することにより、第１の実施形態で説明したのと同様の効果を得ることができる。すなわち、ハンド形子機１００のハンガー部１０４が懸架部６０に懸架された状態において、懸架されたハンド形子機１００が無理に引っ張られる等により、壁面５０から離間する方向に過度な外力が係止部７０に加えられた場合であっても、係止部７０の張り出し部位７１が弾性変形して傾倒することにより、ハンガー部１０４の係止状態が解除され、外力を逃がすことができる。これにより、吊り下げ用フック２およびハンガー部１０４の損壊を回避することができる。また、壁面５０に既に固定されているウォールユニットを取り換える必要がなく、吊り下げ用フック２をフック２０２に装着するだけで良いというメリットも有する。
【００２９】
なお、上記第２の実施形態では、吊り下げ用フック２をフック２０２に装着する場合、フック２０２の全体が懸架部６０の空洞６１内に挿入されるように、空洞６１の断面形状をフック２０２の係止部の形状と略同じとする構成としたが、本発明はこれに限定されない。例えば、図８（ａ）のように、フック２０２の少なくとも上方部分が空洞６１内に挿入されるように空洞６１の断面形状を構成するようにしてもよい。あるいは、図８（ｂ）に示すように、フック２０２の全体がその下方も含めて吊り下げ用フック２で覆われるように、空洞６１の下方を開放せずに閉じた空間とするようにしてもよい。
【００３０】
また、上記第２の実施形態では、吊り下げ用フック２をフック２０２に装着したときに、懸架部６０の内接面６２とフック２０２の係止部の外接面とが圧接するようにして、懸架部６０をフック２０２に固定させる例について説明したが、固定させるための構造はこれに限定されない。例えば、図８（ｃ）に示すように、懸架部６０の空洞６１の内接面６２から内側に突出するツメ部６３を設け、このツメ部６３をフック２０２の係止部に係止させるようにしてもよい。このようにすれば、吊り下げ用フック２が壁面５０から離間する方向に引っ張られても、懸架部６０のツメ部６３がフック２０２に引っ掛かり、吊り下げ用フック２がフック２０２から容易に外れないようにすることができる。この場合でも、係止部７０の張り出し部位７１が弾性変形して傾倒するので、ハンド形子機１００のハンガー部１０４や吊り下げ用フック２の損壊を回避することができる。
【００３１】
また、上記第２の実施形態では、懸架部６０および係止部７０を一体的に構成し、何れも弾性部材（ゴムまたはエストラマー）とする例について説明したが、本発明はこれに限定されない。例えば、第１の実施形態による吊り下げ用フック１と同様に、懸架部６０を硬性部材により構成する一方、係止部７０の全体または一部（懸架部６０よりも上方で懸架部６０から所定長の部位）を弾性部材により構成するようにしてもよい。ただし、懸架部６０および係止部７０を一体として弾性樹脂で構成した方が好ましい。一体成形により製造が容易であり、懸架部６０の内接面とフック２０２の外接面との密着力も大きくなり、装着の安定性が増すからである。
【００３２】
また、上記第１および第２の実施形態では、吊り下げ用フック１，２に懸架される物品の一例としてハンド形子機１００を用いたが、物品はこれに限らない。懸架可能な構造を有しているものであれば、吊り下げ用フック１，２に懸架することが可能である。ハンド形子機１００以外の物品を用いた場合も、上記第１および第２の実施形態と同様の効果を奏することができる。
【００３３】
また、上記第１および第２の実施形態では、物品の懸架機能のみを有する吊り下げ用フックの構成を例に挙げて説明したが、本発明はこれに限定されない。例えば、ナースコール子機のプラグを差し込むための差込口、ナースコールの呼出ボタン、マイク、スピーカ、照明またはスイッチなどと共にフックを備えたウォールユニットとして吊り下げ用フックを構成するようにしてもよい。
【００３４】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００３５】
１０  基部
２０，６０  懸架部
３０，７０  係止部
３１，７１  張り出し部位
【図１】
2015173687.tif 000003
【図２】
2015173687.tif 000004
【図３】
2015173687.tif 000005
【図４】
2015173687.tif 000006
【図５】
2015173687.tif 000007
【図６】
2015173687.tif 000008
【図７】
2015173687.tif 000009
【図８】
2015173687.tif 000010
【図９】
2015173687.tif 000011
【図１０】
2015173687.tif 000012